(57)【要約】【課題】レンズ角度の調整が容易なレーザー墨出し器を提供できること。【解決手段】本開示の一局面は、基準レーザーを計測対象エリアに対して照射するレーザー墨出し器であって、変換レンズと、レンズ保持部と、回動軸部と、回動支持部と、作用部と、隙間調整部と、を備える。回動支持部は、回動軸部に当接するとともに、レンズ保持部が角度調整回動軸を回動中心として回動するようにレンズ保持部を支持する。作用部は、レンズ保持部および回動支持部を互いに近づける。隙間調整部は、作用部によって近づけられるレンズ保持部と回動支持部との隙間寸法を調整する。このレーザー墨出し器は、レンズ保持部と回動支持部との隙間寸法を調整することで、角度調整回動軸を中心とする回動方向におけるレンズ保持部の静止位置を調整できるとともに、変換レンズの位置（姿勢）を調整できる。【選択図】 図３
2020165685.tif 000002
【特許請求の範囲】
【請求項１】
進行方向に垂直な断面形状が線状の基準レーザーを計測対象エリアに対して照射するレーザー墨出し器であって、
入射レーザーを所定の拡散幅方向に広がる線状光としての線状レーザーに変換する変換レンズと、
前記変換レンズを保持するレンズ保持部と、
前記レンズ保持部に当接する回動軸部であって、前記入射レーザーの光軸に垂直かつ前記拡散幅方向に平行な角度調整回動軸として備えられる回動軸部と、
前記回動軸部に当接するとともに、前記レンズ保持部が前記角度調整回動軸を回動中心として回動するように前記レンズ保持部を支持する回動支持部と、
前記入射レーザーの光軸に垂直な仮想平面のうち前記角度調整回動軸によって分割された２つの領域を第１領域および第２領域とした場合に、前記第１領域において、前記レンズ保持部および前記回動支持部に当接すると共に、前記レンズ保持部および前記回動支持部を互いに近づけるように構成された作用部と、
前記作用部によって近づけられる前記レンズ保持部と前記回動支持部との隙間寸法を調整するように構成された隙間調整部と、
を備えるレーザー墨出し器。
【請求項２】
請求項１に記載のレーザー墨出し器であって、
前記回動軸部は、前記レンズ保持部および前記回動支持部にそれぞれ当接する２個の球体を備え、
前記レンズ保持部および前記回動支持部は、それぞれ、前記２個の球体に当接する２つの球体当接部を備える、
レーザー墨出し器。
【請求項３】
請求項２に記載のレーザー墨出し器であって、
前記２つの球体当接部は、それぞれ、前記球体の一部を収容する円錐形状の空間を形成する円錐凹部、または、前記球体の一部を収容する断面Ｖ形状の溝状の空間を形成するＶ溝凹部を備え、
前記レンズ保持部および前記回動支持部のうち一方は、前記２つの球体当接部として２つの前記円錐凹部を備え、前記レンズ保持部および前記回動支持部のうち他方は、前記２つの球体当接部として１つの前記円錐凹部と１つの前記Ｖ溝凹部を備える、
レーザー墨出し器。
【請求項４】
請求項１から請求項３のうちいずれか一項に記載のレーザー墨出し器であって、
前記作用部は、前記作用部のうち第１固定端部が前記レンズ保持部に固定され、前記作用部のうち第２固定端部が前記回動支持部に固定されており、
さらに、前記作用部は、前記第１固定端部および前記第２固定端部を互いに近づけるように弾性変形する弾性体を備える、
レーザー墨出し器。
【請求項５】
請求項１から請求項４のうちいずれか一項に記載のレーザー墨出し器であって、
前記作用部は、前記第１領域において、前記レンズ保持部の２カ所に当接するとともに、前記回動支持部の２カ所に当接する、
レーザー墨出し器。
【請求項６】
請求項１から請求項５のうちいずれか一項に記載のレーザー墨出し器であって、
前記隙間調整部は、前記第１領域に配置される、
レーザー墨出し器。
【請求項７】
請求項６に記載のレーザー墨出し器であって、
前記レンズ保持部において、前記回動軸部のうち前記角度調整回動軸の延伸方向における両端である第１端部および第２端部と、前記レンズ保持部と前記隙間調整部との当接箇所と、を結んで形成される領域を仮想三角領域とした場合、
前記レンズ保持部のうち前記作用部から与えられる外力の重心位置は、前記仮想三角領域の内部に位置する、
レーザー墨出し器。
【請求項８】
請求項６または請求項７に記載のレーザー墨出し器であって、
前記隙間調整部は、
前記レンズ保持部または前記回動支持部に設けられた雌ネジ部と、
前記レンズ保持部および前記回動支持部のそれぞれに当接するとともに、前記雌ネジ部に螺合可能に構成された雄ネジ部と、
を備え、
前記隙間調整部は、前記雌ネジ部に対する前記雄ネジ部の螺合深度が深くなるに従い、前記雄ネジ部のうち、前記レンズ保持部と当接する第１当接部と、前記回動支持部と当接する第２当接部と、の距離が大きくなるように構成されている、
レーザー墨出し器。
【請求項９】
請求項１から請求項５のうちいずれか一項に記載のレーザー墨出し器であって、
前記隙間調整部は、前記第２領域に配置される、
レーザー墨出し器。
【請求項１０】
請求項９に記載のレーザー墨出し器であって、
前記隙間調整部は、
前記レンズ保持部または前記回動支持部に設けられた雌ネジ部と、
前記レンズ保持部および前記回動支持部のそれぞれに当接するとともに、前記雌ネジ部に螺合可能に構成された雄ネジ部と、
を備え、
前記隙間調整部は、前記雌ネジ部に対する前記雄ネジ部の螺合深度が深くなるに従い、前記雄ネジ部のうち、前記レンズ保持部と当接する第１当接部と、前記回動支持部と当接する第２当接部と、の距離が小さくなるように構成されている、
レーザー墨出し器。
【請求項１１】
請求項１から請求項１０のうちいずれか一項に記載のレーザー墨出し器であって、
前記入射レーザーの光軸を中心として前記回動支持部を回動自在に支持する光軸回動支持部を備える、
レーザー墨出し器。
【請求項１２】
請求項１１に記載のレーザー墨出し器であって、
前記光軸回動支持部は、前記回動支持部に当接して前記回動支持部の回動を制限することで、前記入射レーザーの光軸を中心とする回動方向における前記回動支持部の静止位置を決定する位置決定部を備え、
前記位置決定部は、前記第２領域に配置される、
レーザー墨出し器。
【請求項１３】
請求項１２に記載のレーザー墨出し器であって、
前記回動支持部は、前記入射レーザーの光軸を中心とする周方向に対して交差する係合面を有する係合部を備え、
前記位置決定部は、直接あるいは他部材を介して前記係合部に当接して前記回動支持部の回動を制限する、
レーザー墨出し器。
【発明の詳細な説明】
【技術分野】
【０００１】
本開示は、レーザー墨出し器に関する。
【背景技術】
【０００２】
レーザー墨出し器は、線状レーザーを対象物に対して射出することで、建築工事などでの位置決め作業に用いられる。レーザー墨出し器は、光源からの入射レーザーを線状レーザーに変換する変換レンズ（シリンドリカルレンズ等）を備えている。
【０００３】
入射レーザーの光軸に対する変換レンズの相対位置（角度など）を調整する機構が提案されている（特許文献１）。例えば、調整用ネジを２本利用してレンズ角度を調整する機構（特許文献１の図３）や、ヒンジ軸とネジ１本を利用してレンズ角度を調整する機構（特許文献１の図６）が提案されている。
【先行技術文献】
【特許文献】
【０００４】
【特許文献１】特開２００２−２２１４１６号公報
【発明の概要】
【発明が解決しようとする課題】
【０００５】
しかし、上記の角度調整機構のうち、調整用ネジを２本利用する機構は、２本の調整ネジをそれぞれ調整する必要があるため、角度調整作業が煩雑となる可能性がある。
また、上記の角度調整機構のうち、ヒンジ軸とネジ１本を利用する機構は、ヒンジ軸のスムーズな回動のために所定の隙間が設けられており、その隙間が原因でレンズがロール方向に移動する可能性がある。そのため、ヒンジ軸とネジ１本を利用する機構では、レンズが不規則に移動してしまい、レンズ角度を適切に調整できない可能性がある。
【０００６】
そこで、本開示の一局面においては、レンズ角度の調整が容易なレーザー墨出し器を提供できることが望ましい。
【課題を解決するための手段】
【０００７】
本開示の一局面は、基準レーザーを計測対象エリアに対して照射するレーザー墨出し器であって、変換レンズと、レンズ保持部と、回動軸部と、回動支持部と、作用部と、隙間調整部と、を備える。
【０００８】
基準レーザーは、進行方向に垂直な断面形状が線状のレーザーである。変換レンズは、入射レーザーを所定の拡散幅方向に広がる線状光としての線状レーザーに変換する。レンズ保持部は、変換レンズを保持するように構成されている。回動軸部は、レンズ保持部に当接するとともに、入射レーザーの光軸に垂直かつ拡散幅方向に平行な角度調整回動軸として備えられる。回動支持部は、回動軸部に当接するとともに、レンズ保持部が角度調整回動軸を回動中心として回動するようにレンズ保持部を支持するように構成されている。
【０００９】
作用部は、入射レーザーの光軸に垂直な仮想平面を角度調整回動軸によって分割される２つの領域を第１領域および第２領域とした場合に、第１領域において、レンズ保持部および回動支持部に当接する。作用部は、レンズ保持部および回動支持部を互いに近づけるように構成されている。隙間調整部は、作用部によって近づけられるレンズ保持部と回動支持部との隙間寸法を調整するように構成されている。
【００１０】
このレーザー墨出し器は、作用部および隙間調整部によってレンズ保持部と回動支持部との隙間寸法を調整することで、角度調整回動軸を中心とする回動方向におけるレンズ保持部の静止位置を調整できるとともに、変換レンズの位置（姿勢）を調整できる。
【００１１】
つまり、このレーザー墨出し器は、レンズ保持部と回動支持部との隙間寸法の調整という簡易な構成によって、入射レーザーの光軸に対する変換レンズの相対位置（より具体的には、入射レーザーの光軸に対する変換レンズの相対角度）を調整できると共に、角度調整回動軸を中心とする回動方向における線状レーザー（基準レーザー）の進行方向を調整できる。
【００１２】
よって、本開示のレーザー墨出し器によれば、簡易な構成のため、レンズ角度の調整作業が簡便になり、作業負担の増大を抑制できる。また、本開示のレーザー墨出し器によれば、簡易な構成のため、構成部品の変形が生じ難くなり、レンズ角度を適切に調整できるとともに、線状レーザー（基準レーザー）の進行方向を適切な方向に調整できる。
【００１３】
次に、上述のレーザー墨出し器においては、回動軸部は、レンズ保持部および回動支持部にそれぞれ当接する２個の球体を備え、レンズ保持部および回動支持部は、それぞれ、２個の球体に当接する２つの球体当接部を備えてもよい。
【００１４】
このレーザー墨出し器は、２個の球体が回動支持部の２つの球体当接部に位置決めされると共に、２個の球体を回動中心としてレンズ保持部が回動するように構成される。これにより、角度調整回動軸（２個の球体を通る軸）を中心とする回動方向におけるレンズ保持部の静止位置を調整できるとともに、変換レンズの位置（姿勢）を調整できる。
【００１５】
次に、上述のレーザー墨出し器においては、２つの球体当接部は、それぞれ、円錐凹部またはＶ溝凹部を備え、レンズ保持部および回動支持部のうち一方は、２つの球体当接部として２つの円錐凹部を備え、レンズ保持部および回動支持部のうち他方は、２つの球体当接部として１つの円錐凹部と１つのＶ溝凹部を備えてもよい。円錐凹部は、球体の一部を収容する円錐形状の空間を形成する。Ｖ溝凹部は、球体の一部を収容する断面Ｖ形状の溝状の空間を形成する。
【００１６】
換言すれば、上述のレーザー墨出し器は、「前記レンズ保持部が２つの前記円錐凹部を備えるとともに、前記回動支持部が１つの前記円錐凹部と１つの前記Ｖ溝凹部を備える」構成、または、「前記レンズ保持部が１つの前記円錐凹部と１つのＶ溝凹部を備えるとともに、前記回動支持部が２つの前記円錐凹部を備える」構成であってもよい。
【００１７】
このレーザー墨出し器では、２個の球体のうち１つの球体が２つの円錐凹部によって位置決めされると共に、２個の球体のうちもう１つの球体が１つの円錐凹部と１つのＶ溝凹部によって位置決めされる。このとき、Ｖ溝凹部における球体との当接位置は、Ｖ溝の延長方向に沿って変更可能となる。このため、レンズ保持部における球体当接部の形成位置と、回動支持部における球体当接部の形成位置との間に、加工誤差（製造誤差）が生じた場合でも、Ｖ溝凹部における球体との当接位置を適切な位置に変更できる。
【００１８】
よって、このレーザー墨出し器は、レンズ保持部と回動支持部との間において、２つの球体を適切に位置決めできる。
次に、上述のレーザー墨出し器においては、作用部は、作用部のうち第１固定端部がレンズ保持部に固定され、作用部のうち第２固定端部が回動支持部に固定されてもよい。さらに、作用部は、第１固定端部および第２固定端部を互いに近づけるように弾性変形する弾性体を備えてもよい。
【００１９】
このレーザー墨出し器は、作用部が第１固定端部および第２固定端部を互いに近づけるように弾性変形することで、第１領域におけるレンズ保持部と回動支持部との距離を小さくすることができる。
【００２０】
次に、上述のレーザー墨出し器においては、作用部は、第１領域において、レンズ保持部の２カ所に当接するとともに、回動支持部の２カ所に当接してもよい。このように作用部が、レンズ保持部および回動支持部のそれぞれに対して２カ所に当接する構成を採ることで、レンズ保持部および回動支持部のそれぞれに対して１カ所のみに当接する構成に比べて、レンズ保持部と回動支持部との距離を小さくするための力を大きくすることができる。
【００２１】
次に、上述のレーザー墨出し器においては、隙間調整部は、第１領域に配置されてもよい。このレーザー墨出し器は、第１領域におけるレンズ保持部と回動支持部との距離を、隙間調整部が直接調整するように構成される。
【００２２】
次に、上述のレーザー墨出し器においては、レンズ保持部において、回動軸部の第１端部と、回動軸部の第２端部と、レンズ保持部と隙間調整部との当接箇所と、を結んで形成される領域を仮想三角領域とした場合に、レンズ保持部のうち作用部から与えられる外力の重心位置は、仮想三角領域の内部に位置する構成であってもよい。回動軸部の第１端部は、回動軸部のうち角度調整回動軸の延伸方向における両端のうちの一方であり、回動軸部の第２端部は、回動軸部のうち第１端部ではない側の端部である。
【００２３】
このレーザー墨出し器は、作用部からの外力がレンズ保持部に対して偏って作用することを抑制できるため、レンズ保持部が不適切な方向に傾くことを抑制できるとともに、変換レンズの位置が不適切になるのを抑制できる。
【００２４】
次に、上述のレーザー墨出し器においては、隙間調整部は、雌ネジ部と、雄ネジ部と、を備えるとともに、雌ネジ部に対する雄ネジ部の螺合深度が深くなるに従い、雄ネジ部のうち第１当接部と第２当接部との距離が大きくなるように構成されてもよい。雌ネジ部は、レンズ保持部または回動支持部に設けられている。雄ネジ部は、レンズ保持部および回動支持部のそれぞれに当接するとともに、雌ネジ部に螺合可能に構成されている。雄ネジ部の第１当接部は、雄ネジ部のうちレンズ保持部と当接する部位である。雄ネジ部の第２当接部は、雄ネジ部のうち回動支持部と当接する部位である。
【００２５】
つまり、隙間調整部は、雌ネジ部に対する雄ネジ部の螺合深度（ねじ込み量）を変更することにより、雄ネジ部のうち第１当接部と第２当接部との距離が変更されるように構成されてもよい。これにより、雌ネジ部に対する雄ネジ部の螺合深度を変更することで、雄ネジ部のうち第１当接部と第２当接部との距離を変更できるとともに、レンズ保持部と回動支持部との隙間寸法を調整できる。
【００２６】
そして、隙間調整部は、雌ネジ部に対する雄ネジ部の螺合深度が深くなるに従い、雄ネジ部における第１当接部と第２当接部との距離が大きくなることで、第１領域におけるレンズ保持部と回動支持部との距離を拡大することができる。よって、このレーザー墨出し器は、雌ネジ部に対する雄ネジ部の螺合深度を調整することで、角度調整回動軸を回動中心とするレンズ保持部の回動角度を変更できる。
【００２７】
例えば、雄ネジ部は、雄ネジ溝が形成されたネジ軸部と、ネジ軸部の軸端に設けられた軸端当接部と、を備えてもよい。そして、雌ネジ部がレンズ保持部に設けられる場合には、雄ネジ部は、ネジ軸部が雌ネジ部に螺合されるとともに、軸端当接部が回動支持部に当接する状態で配置してもよい。これにより、ネジ軸部のうち雌ネジ部との螺合部分（第１当接部に相当）から軸端当接部（第２当接部に相当）までの部分が、レンズ保持部と回動支持部との間に配置されることで、レンズ保持部と回動支持部とが近づくのを制限できる。
【００２８】
よって、この隙間調整部は、第１領域におけるレンズ保持部と回動支持部との距離が一定距離以上となるように調整できる構成となる。これにより、このレーザー墨出し器は、雌ネジ部に対する雄ネジ部の螺合深度を調整することで、角度調整回動軸を回動中心とするレンズ保持部の回動角度を変更できる。
【００２９】
次に、上述のレーザー墨出し器においては、隙間調整部は、第２領域に配置されてもよい。このレーザー墨出し器は、第１領域におけるレンズ保持部と回動支持部との距離を、第２領域に配置された隙間調整部が間接的に調整するように構成される。
【００３０】
次に、上述のレーザー墨出し器においては、隙間調整部は、雌ネジ部と、雄ネジ部と、を備えるとともに、雌ネジ部に対する雄ネジ部の螺合深度が深くなるに従い、雄ネジ部のうち第１当接部と第２当接部との距離が小さくなるように構成されてもよい。雌ネジ部は、レンズ保持部または回動支持部に設けられている。雄ネジ部は、レンズ保持部および回動支持部のそれぞれに当接するとともに、雌ネジ部に螺合可能に構成されている。雄ネジ部の第１当接部は、雄ネジ部のうちレンズ保持部と当接する部位である。雄ネジ部の第２当接部は、雄ネジ部のうち回動支持部と当接する部位である。
【００３１】
この隙間調整部は、雌ネジ部に対する雄ネジ部の螺合深度が深くなるに従い、雄ネジ部における第１当接部と第２当接部との距離が小さくなることで、第２領域におけるレンズ保持部と回動支持部との距離を縮小できるとともに、第１領域におけるレンズ保持部と回動支持部との距離を拡大することができる。よって、このレーザー墨出し器は、雌ネジ部に対する雄ネジ部の螺合深度を調整することで、角度調整回動軸を回動中心とするレンズ保持部の回動角度を変更できる。
【００３２】
例えば、雄ネジ部は、雄ネジ溝が形成されたネジ軸部と、ネジ軸部の一端に設けられたネジ頭部と、を備えてもよい。この雄ネジ部は、ネジ軸部のうち雌ネジ部に螺合された部分とネジ頭部との間で、レンズ保持部および回動支持部を挟み込むことで、第２領域におけるレンズ保持部と回動支持部との距離を所定範囲内に制限できる。これに伴い、この隙間調整部は、第１領域におけるレンズ保持部と回動支持部との距離が一定距離以上となるように調整できる。
【００３３】
よって、このレーザー墨出し器は、雌ネジ部に対する雄ネジ部の螺合深度を調整することで、角度調整回動軸を回動中心とするレンズ保持部の回動角度を変更できる。
次に、上述のレーザー墨出し器においては、入射レーザーの光軸を中心として回動支持部を回動自在に支持する光軸回動支持部を備えてもよい。これにより、このレーザー墨出し器は、レンズ保持部の位置に関して、光軸を中心とする回動方向における静止位置を調整することができる。
【００３４】
次に、上述のレーザー墨出し器においては、光軸回動支持部は、回動支持部の静止位置を決定する位置決定部を備え、位置決定部は、第２領域に配置されてもよい。位置決定部は、回動支持部に当接して回動支持部の回動を制限することで、入射レーザーの光軸を中心とする回動方向における回動支持部の静止位置を決定するように構成されている。
【００３５】
光軸回動支持部７７は、位置決定部の配置位置を、作用部が配置される第１領域ではなく第２領域に設定することで、作用部と位置決定部とが互いに干渉するのを抑制できる。これにより、このレーザー墨出し器は、作用部および位置決定部それぞれの配置の自由度を高めることができる。
【００３６】
次に、上述のレーザー墨出し器においては、回動支持部は、入射レーザーの光軸を中心とする周方向に対して交差する係合面を有する係合部を備え、位置決定部は、直接あるいは他部材を介して係合部に当接して回動支持部の回動を制限してもよい。このレーザー墨出し器は、位置決定部が回動支持部の回動を制限することで、回動支持部の静止位置を決定できる。
【図面の簡単な説明】
【００３７】
【図１】レーザー墨出し器の外観を表した斜視図である。
【図２】レーザー光射出部の外観を表した斜視図である。
【図３】分解した状態のレーザー光射出部を先端側の斜め方向から見たときの分解斜視図である。
【図４】分解した状態のレーザー光射出部を後端側の斜め方向から見たときの分解斜視図である。
【図５】回動支持部を後端側の斜め方向から見たときの斜視図である。
【図６】光軸回動支持部を先端側の斜め方向から見たときの斜視図である。
【図７】レーザー光射出部の先端側外観を表した平面図である。
【図８】図７に示すレーザー光射出部のうちVIII−VIII線断面における断面図である。
【図９】図７に示すレーザー光射出部のうちIX−IX線断面における断面図である。
【図１０】図７に示すレーザー光射出部のうちX−X線断面における断面図である。
【図１１】光軸回動支持部における第１対向係合面からの位置調整ネジの突出寸法Ｗ２を表す説明図である。
【図１２】レンズ保持部における仮想三角領域ＡＥｔを表す説明図である。
【図１３】第２実施形態の第２レーザー光射出部の先端側外観を表した平面図である。
【図１４】図１３に示す第２レーザー光射出部のうちXIV−XIV線断面における断面図である。
【発明を実施するための形態】
【００３８】
以下、本開示が適用された実施形態について、図面を用いて説明する。
尚、本開示は、以下の実施形態に何ら限定されるものではなく、本開示の技術的範囲に属する限り種々の形態を採り得ることはいうまでもない。
【００３９】
［１．第１実施形態］
［１−１．全体構成］
本実施形態のレーザー墨出し器１は、土木、建築工事等に用いられるものであり、対象物に対してレーザー光による基準線を投射するように構成されている。
【００４０】
図１に示すように、レーザー墨出し器１は、ハウジング３と、バッテリパック５と、パック装着部７と、レーザー光生成部９と、を備えている。なお、以下の説明では、レーザー墨出し器１の側面のうちパック装着部７が備えられる側を背面として説明する。
【００４１】
ハウジング３は、レーザー墨出し器１の設置場所に当接するベース部１３と、鉛直方向に延びる中心軸Ｌ１を中心として回転可能な状態でベース部１３の上側に固定される回転部１１と、を備える。
【００４２】
回転部１１は、中心軸Ｌ１を中心として軸線方向に延びる略円柱形状であり、上端の周囲部分が曲線形状（丸形状）に形成されている。回転部１１は、レーザー光を生成するレーザー光生成部９を内部に収容する。回転部１１は、レーザー光を内部から外部に向けて通過させる水平レーザー光通過部２１および鉛直レーザー光通過部２３を備えている。
【００４３】
水平レーザー光通過部２１は、レーザー光生成部９から射出されたレーザー光のうち水平方向基準線を示す水平レーザー光をハウジング３の内部から外部に向けて通過させるよう構成されている。水平レーザー光通過部２１は、回転部１１において４個設けられており、詳細には、中心軸Ｌ１を中心とする周方向のうち４等分した４領域のそれぞれに１個ずつ設けられている。
【００４４】
鉛直レーザー光通過部２３は、レーザー光生成部９から射出されたレーザー光のうち鉛直方向基準線を示す鉛直レーザー光をハウジング３の内部から外部に向けて通過させるよう構成されている。鉛直レーザー光通過部２３は、回転部１１において４個設けられており、詳細には、中心軸Ｌ１を中心とする周方向のうち４等分した４領域のそれぞれに１個ずつ設けられている。
【００４５】
ベース部１３は、板部３１と、脚部３３と、を備える。板部３１は、回転部１１を回転可能に支持する略円盤板状の部材である。脚部３３は、板部３１を支持するように３個備えられている。
【００４６】
バッテリパック５は、パック装着部７に対して着脱可能に構成されている。バッテリパック５は、充電・放電が可能に構成されており、所定の直流電圧を発生する二次電池セル（図示省略）を内蔵するとともに、二次電池セルと電気的に接続された電極端子（図示省略）を備えている。バッテリパック５は、電極端子（図示省略）を介して外部（パック装着部７、充電器（図示省略）など）と電気的に接続されることで、二次電池セルから外部への放電電流の出力や、外部から二次電池セルへの充電電流の入力を実行するように構成されている。
【００４７】
パック装着部７は、ハウジング３における回転部１１の側面のうち背面側に形成されている。パック装着部７は、回転部１１の側面に対して平行（換言すれば、中心軸Ｌ１を中心とする仮想円の接線方向に対して平行）に形成される２本のスライドレール（図示省略）を備える。つまり、パック装着部７は、バッテリパック５をスライドレールに沿ってスライドさせることで、バッテリパック５を着脱するように構成されている。
【００４８】
また、パック装着部７は、電極端子（図示省略）を備えている。電極端子は、回転部１１の内部に配設される電気ケーブル（図示省略）や操作スイッチ（図示省略）などを介して、レーザー光生成部９と電気的に接続可能に構成されている。電極端子は、バッテリパック５がスライドレールに装着された際に、バッテリパック５の電極端子（図示省略）と接続されるように構成されている。つまり、バッテリパック５は、パック装着部７に装着されることで、電極端子を介してレーザー光生成部９に電力供給することができる。
【００４９】
レーザー光生成部９は、線状光（線状レーザーＬＬ）を射出するレーザー光射出部７１（図２参照）と、レーザー光射出部７１でのレーザー光の射出状態を制御する射出制御部（図示省略）と、を備える。
【００５０】
レーザー光射出部７１は、図２および図３に示すように、電力供給によりレーザー光ＬＳを射出するレーザー光源８１と、レーザー光源８１から射出されたレーザー光ＬＳを線状光としての線状レーザーＬＬに変換するレーザー光変換部７２と、を備えている。なお、レーザー光変換部７２は、変換レンズ７４を有する。１つのレーザー光射出部７１は、１つの線状レーザーＬＬを射出する。レーザー光射出部７１は、緑色のレーザー光を射出する。なお、レーザー光の色は、緑色に限られず、赤色など他の色であっても良い。
【００５１】
レーザー光生成部９は、水平方向基準線を示す水平レーザー光を射出するための複数（４個）のレーザー光射出部７１と、鉛直方向基準線を示す鉛直レーザー光を射出するための複数（４個）のレーザー光射出部７１と、を備える。つまり、レーザー光生成部９は、４個の水平レーザー光通過部２１に応じて配置された４個のレーザー光射出部７１と、４個の鉛直レーザー光通過部２３に応じて配置された４個のレーザー光射出部７１と、を備える。レーザー光生成部９は、４つの水平レーザー光および４つの鉛直レーザー光をそれぞれ射出するように構成されている。
【００５２】
レーザー墨出し器１は、機械式のジンバル機構（図示省略）によって鉛直姿勢を維持できるように揺動可能に支持された振り子（図示省略）を備えている。振り子は、操作スイッチ（図示省略）に連動して作動するストッパ（図示省略）によって固定状態および揺動状態のうちいずれかの状態に設定される。複数のレーザー光射出部７１は、振り子の所定位置に固定されることで、鉛直姿勢を維持できるように揺動可能に支持されている。使用者によって操作スイッチがＯＮ状態に設定されると、複数のレーザー光射出部７１は揺動状態に設定され、使用者によって操作スイッチがＯＦＦ状態に設定されると、複数のレーザー光射出部７１は固定状態に設定される。
【００５３】
射出制御部は、バッテリパック５または外部電源からの電力供給を受けるとともに、使用者からの指令内容に応じて、複数のレーザー光射出部７１での線状レーザーＬＬの射出状態（レーザー輝度、射出方向など）を制御する。射出制御部は、例えば、マイクロコンピュータ（以下、「マイコン」と略称する）を備えて構成することができる。なお、使用者は、図示しない指令スイッチを操作することで、レーザー光の射出状態（レーザー輝度、射出方向など）に関する指令内容を設定することができる。
【００５４】
レーザー墨出し器１は、さらに、操作スイッチ（図示省略）および外部電源接続部５３（図１参照）を備えている。操作スイッチは、ハウジング３の回転部１１の側面に備えられており、使用者の操作によりＯＮ状態またはＯＦＦ状態に設定される。外部電源接続部５３は、ハウジング３の回転部１１の側面に形成されており、外部電源（ＡＣアダプタ、ＤＣアダプタなど。）と電気的に接続可能に構成されている。
【００５５】
［１−２．レーザー光射出部］
レーザー光射出部７１の構成について説明する。
図２〜図１２に示すように、レーザー光射出部７１は、レーザー光変換部７２と、回動軸部８５と、回動支持部７５と、光軸回動支持部７７と、レーザー光源８１と、作用部８２と、隙間調整部８４と、基台部８７と、を備える。レーザー光変換部７２は、変換レンズ７４と、レンズ保持部７３と、を備える。
【００５６】
レーザー光源８１は、図８に示すように、レーザー射出部８１ａと、端子部８１ｂと、発光部８１ｃと、を備える。レーザー射出部８１ａは、光軸Ｌａに沿ってレーザー光ＬＳを射出する。端子部８１ｂは、レーザー光ＬＳの射出動作に必要な電力を受電する。発光部８１ｃは、端子部８１ｂを介して電力供給されると、レーザー射出部８１ａに対してレーザー光を出力する。
【００５７】
レーザー光射出部７１は、光軸Ｌａが変換レンズ７４に重なるように、変換レンズ７４およびレーザー光源８１の配置が決定されている。これにより、レーザー光源８１から射出されたレーザー光ＬＳは、変換レンズ７４に入射される。
【００５８】
図３および図４に示すように、基台部８７は、レーザー光源８１の一部を挿通可能な挿通穴８７ａを備える。基台部８７は、挿通穴８７ａに挿通されたレーザー光源８１を、固定ネジ８７ｂ（図８参照）を用いて挟持（固定）するように構成されている。基台部８７は、４つの固定穴８７ｃを備える。例えば、４つの固定穴８７ｃに挿通した固定ボルト（図示省略）を振り子の所定位置に固定することで、基台部８７を振り子に固定できるとともに、レーザー光射出部７１を振り子に固定できる。
【００５９】
なお、レーザー光射出部７１において、光軸Ｌａに沿った軸線方向の両端部のうち、変換レンズ７４が配置される端部を先端とし、レーザー光源８１が配置される端部を後端とする。
【００６０】
レーザー光射出部７１は、角度調整回動軸Ｌｂを中心としてレンズ保持部７３を回動する第１回動機構７１ａを備える。角度調整回動軸Ｌｂは、光軸Ｌａに垂直かつ線状レーザーＬＬの拡散幅方向に平行な回動軸である。また、レーザー光射出部７１は、光軸Ｌａを中心として回動支持部７５を回動する第２回動機構７１ｂを備える。レーザー光射出部７１は、第１回動機構７１ａおよび第２回動機構７１ｂを備えることで、光軸Ｌａに対する変換レンズ７４の位置（姿勢）を調整できるように構成されている。
【００６１】
［１−３．第１回動機構］
レーザー光射出部７１の第１回動機構７１ａについて説明する。
図３および図４に示すように、第１回動機構７１ａは、レーザー光変換部７２（変換レンズ７４、レンズ保持部７３）と、回動軸部８５と、回動支持部７５と、作用部８２と、隙間調整部８４と、を備えて構成される。
【００６２】
回動軸部８５は、金属製（例えば、鉄製）の球体８５ａを２個備える。
変換レンズ７４は、入射レーザーを所定の拡散幅方向に広がる線状光としての線状レーザーＬＬに変換するためのシリンドリカルレンズを備えて構成される。入射レーザーは、レーザー光源８１から射出されるレーザー光ＬＳである。シリンドリカルレンズは、円柱形状のレンズである。以下、変換レンズ７４は、シリンドリカルレンズ７４ともいう。
【００６３】
レンズ保持部７３は、レーザー通過穴７３ａを備える円盤形状の部材である。レンズ保持部７３は、変換レンズ７４をレーザー通過穴７３ａに配置した状態で、固定部材７３ｅおよびネジ７３ｆを用いて変換レンズ７４を保持するように構成されている。レンズ保持部７３は、２つの貫通穴７３ｂを備えている。２つの貫通穴７３ｂは、それぞれ、貫通穴７３ｂの内部に柱状の引掛部７３ｃを配置可能に構成されている。レンズ保持部７３は、先端側から後端側にかけて貫通するとともに雌ネジ溝が形成された雌ネジ部７３ｇを備える。
【００６４】
隙間調整部８４は、隙間調整ネジ８４ａおよび雌ネジ部７３ｇを備える。隙間調整ネジ８４ａは、雌ネジ部７３ｇに螺合可能に構成されている。
図４に示すように、レンズ保持部７３は、回動支持部７５に対向する面に、２個の円錐凹部７３ｄを備える。２個の円錐凹部７３ｄは、それぞれ、球体８５ａの一部を収容できる円錐形状の空間として形成される。２個の円錐凹部７３ｄは、互いに、レーザー通過穴７３ａの中央部（換言すれば、入射レーザーの光軸Ｌａ）を中心として点対称となる位置に形成される。
【００６５】
２個の球体８５ａは、２個の円錐凹部７３ｄに当接することで、レンズ保持部７３に当接する回動軸（回動軸部８５）として機能する。２個の球体８５ａは、角度調整回動軸Ｌｂとして機能する。
【００６６】
図３および図４に示すように、回動支持部７５は、レーザー通過穴７５ａを備える円柱形状の部材である。回動支持部７５は、２つの貫通穴７５ｂを備えている。２つの貫通穴７５ｂは、それぞれ、貫通穴７５ｂの内部に柱状の引掛部７５ｃを配置可能に構成されている。
【００６７】
図３に示すように、回動支持部７５は、レンズ保持部７３に対向する対向面７５ｊに、１個の円錐凹部７５ｄと、１個のＶ溝凹部７５ｅと、を備える。円錐凹部７５ｄは、球体８５ａの一部を収容できる円錐形状の空間として形成される。円錐凹部７５ｄおよびＶ溝凹部７５ｅは、それぞれ、対向面７５ｊにおいてレーザー通過穴７５ａの中央部（換言すれば、入射レーザーの光軸Ｌａ）を通過する仮想直線Ｌｉに重なる位置に形成されている。円錐凹部７５ｄおよびＶ溝凹部７５ｅは、レーザー通過穴７５ａの中央部（光軸Ｌａ）を境界として仮想直線Ｌｉを分割した２つの直線部分のうち、互いに異なる直線部分に形成されている。Ｖ溝凹部７５ｅは、球体８５ａの一部を収容する断面Ｖ形状の溝状の空間を形成する。Ｖ溝凹部７５ｅは、仮想直線Ｌｉに沿ってＶ溝が延びるように形成されている。回動支持部７５は、隙間調整ネジ８４ａの端部８４ｃが当接する当接部７５ｆを備える。
【００６８】
回動支持部７５は、回動軸部８５（詳細には、２個の球体８５ａ）に当接するとともに、レンズ保持部７３が角度調整回動軸Ｌｂを回動中心として回動するように、回動軸部８５を介してレンズ保持部７３を支持するように構成されている。
【００６９】
このように、レーザー光射出部７１は、２個の球体８５ａが回動支持部７５の２つの球体当接部（円錐凹部７５ｄ、Ｖ溝凹部７５ｅ）に位置決めされると共に、２個の球体８５ａを回動中心としてレンズ保持部７３が回動するように構成される。これにより、角度調整回動軸Ｌｂ（２個の球体８５ａを通る軸）を中心とする回動方向Ｒ１（図２参照）におけるレンズ保持部７３の静止位置を調整できるとともに、変換レンズ７４の位置（姿勢）を調整できる。
【００７０】
ここで、図７に示すように、レーザー光射出部７１において、光軸Ｌａに垂直な仮想平面（例えば、図７の紙面）のうち角度調整回動軸Ｌｂによって分割された２つの領域を、第１領域ＡＥ１および第２領域ＡＥ２と定義する。レンズ保持部７３は、第１領域ＡＥ１および第２領域ＡＥ２のうち一方の領域（本実施形態では、第１領域ＡＥ１）に、２つの貫通穴７３ｂおよび雌ネジ部７３ｇを備えている。回動支持部７５は、第１領域ＡＥ１および第２領域ＡＥ２のうち一方の領域（第１領域ＡＥ１）に、２つの貫通穴７５ｂおよび当接部７５ｆ（図３参照）を備えている。
【００７１】
図３、図４、図１０に示すように、作用部８２は、２つのスプリング８３を備える。スプリング８３は、第１固定端部８３ａおよび第２固定端部８３ｂを備えるコイルスプリングである。スプリング８３の第１固定端部８３ａは、引掛部７３ｃに引っ掛けられ、スプリング８３の第２固定端部８３ｂは、引掛部７３ｃに引っ掛けられる。つまり、スプリング８３は、第１領域ＡＥ１において、レンズ保持部７３および回動支持部７５に当接すると共に、レンズ保持部７３および回動支持部７５を互いに近づけるように作用する。これにより、レンズ保持部７３および回動支持部７５は、２つのスプリング８３の弾性力によって、第１領域ＡＥ１に相当する部分が互いに近づく状態で備えられる。
【００７２】
なお、作用部８２は、２つのスプリング８３を備えるため、第１領域ＡＥ１において、レンズ保持部７３の２カ所に当接するとともに、回動支持部７５の２カ所に当接する。このため、作用部８２は、１つのスプリングを備える構成（換言すれば、レンズ保持部７３および回動支持部７５のそれぞれに対して１カ所のみに当接する構成）に比べて、レンズ保持部７３と回動支持部７５との距離を小さくするための力を大きくすることができる。
【００７３】
図３、図４、図９に示すように、隙間調整ネジ８４ａは、雄ネジで構成されている。詳細には、隙間調整ネジ８４ａは、六角穴付き止めねじ（ホーローセット、イモネジ）である。隙間調整ネジ８４ａは、レンズ保持部７３から回動支持部７５に向けて突出する状態で、雌ネジ部７３ｇに螺合される。隙間調整ネジ８４ａは、雌ネジ部７３ｇから突出した隙間調整ネジ８４ａの端部８４ｃが回動支持部７５の当接部７５ｆに当接する状態で備えられる。つまり、隙間調整ネジ８４ａは、レンズ保持部７３および回動支持部７５のそれぞれに当接するとともに、雌ネジ部７３ｇに螺合可能に構成されている。
【００７４】
隙間調整部８４は、隙間調整ネジ８４ａの端部８４ｃが回動支持部７５の当接部７５ｆに当接することで、第１領域ＡＥ１におけるレンズ保持部７３と回動支持部７５との隙間寸法Ｗ１（図９参照）を一定距離以上に制限できるように構成されている。つまり、隙間調整部８４は、作用部８２によって近づけられるレンズ保持部７３と回動支持部７５との隙間寸法Ｗ１を調整するように構成されている。
【００７５】
図９に示すように、隙間調整部８４は、雌ネジ部７３ｇに対する隙間調整ネジ８４ａの螺合深度が深くなるに従い、隙間調整ネジ８４ａのうち第１当接部８４ｂと第２当接部８４ｄとの距離（隙間寸法Ｗ１に相当する。以下、距離Ｗ１ともいう。）が大きくなるように構成されている。第１当接部８４ｂは、隙間調整ネジ８４ａのうちレンズ保持部７３（詳細には、雌ネジ部７３ｇ）と当接する部分である。第２当接部８４ｄは、隙間調整ネジ８４ａのうち回動支持部７５（詳細には、当接部７５ｆ）と当接する部分（端部８４ｃ）である。なお、換言すれば、隙間調整部８４は、雌ネジ部７３ｇに対する隙間調整ネジ８４ａの螺合深度が浅くなるに従い、スプリング８３の弾性力によって距離Ｗ１が小さくなるように構成されている。
【００７６】
このように隙間調整部８４（隙間調整ネジ８４ａおよび雌ネジ部７３ｇ）を用いて距離Ｗ１を変更することで、角度調整回動軸Ｌｂを中心とする回動方向Ｒ１（図２参照）におけるレンズ保持部７３の静止位置（回動位置）を変更できる。レーザー光射出部７１は、隙間調整部８４を用いて変換レンズ７４の静止位置を変更できるとともに、光軸Ｌａに対する変換レンズ７４の位置（姿勢）を調整できる。
【００７７】
よって、レーザー光射出部７１は、隙間調整部８４を用いて距離Ｗ１を変更することで、レーザー光射出部７１における線状レーザーＬＬの射出方向を、図９に示す第１調整範囲Ｖ１のうち理想的な射出方向（目標射出方向）に近づけることが可能となる。
【００７８】
［１−４．第２回動機構］
レーザー光射出部７１の第２回動機構７１ｂについて説明する。
図３および図４に示すように、第２回動機構７１ｂは、回動支持部７５と、光軸回動支持部７７と、を備えて構成される。
【００７９】
回動支持部７５は、図４および図５に示すように、光軸Ｌａに沿った軸線方向における後端側（光軸回動支持部７７に対向する側）において、係合部７５ｇを備える。係合部７５ｇは、光軸Ｌａを中心とする周方向に対して交差する２つの係合面７５ｈ（第１係合面７５ｈ１，第２係合面７５ｈ２）を有する。なお、「光軸Ｌａを中心とする周方向に対して交差する面」は、換言すれば、「光軸Ｌａを中心軸とする仮想円に対して交差する面」あるいは「光軸Ｌａからの距離が異なる部位を複数有する面」とも表現できる。反対に、「光軸Ｌａを中心とする周方向に対して交差しない面」は、例えば、「回動支持部７５のうち円柱形状の側面」が挙げられる。
【００８０】
光軸回動支持部７７は、図３、図４、図６に示すように、レーザー通過穴７７ａを備える筒状の部材である。光軸回動支持部７７は、回動支持部７５の一部を収容するための内部空間７７ｂを備える。光軸回動支持部７７は、光軸Ｌａを中心として回動支持部７５を回動自在に支持するように構成されている。光軸回動支持部７７は、内部空間７７ｂのうち係合部７５ｇが配置される領域に係合部配置空間７７ｄを備える。係合部配置空間７７ｄは、２つの係合面７５ｈに対向する２つの対向係合面７７ｃ（第１対向係合面７７ｃ１，第２対向係合面７７ｃ２）を備える。
【００８１】
光軸回動支持部７７は、第１対向係合面７７ｃ１に螺合孔７７ｆを備える。螺合孔７７ｆは、光軸回動支持部７７の外側から内部空間７７ｂ（第１対向係合面７７ｃ１）にかけて貫通した雌ネジ孔として形成されている。光軸回動支持部７７は、螺合孔７７ｆに螺合できる位置調整ネジ７７ｅを備える。位置調整ネジ７７ｅは、六角穴付き止めねじ（ホーローセット、イモネジ）である。位置調整ネジ７７ｅは、第１対向係合面７７ｃ１から第２対向係合面７７ｃ２に向けて突出する状態で螺合孔７７ｆに螺合される。
【００８２】
回動支持部７５は、回動支持部７５の少なくとも一部（例えば、係合部７５ｇ）が内部空間７７ｂに配置される状態で、光軸回動支持部７７に支持される。このとき、回動支持部７５のうち、第１係合面７５ｈ１は、第１対向係合面７７ｃ１から突出する位置調整ネジ７７ｅに当接し、第２係合面７５ｈ２は、位置決めスプリング７５ｉを介して第２対向係合面７７ｃ２と対向する。つまり、係合部７５ｇは、位置決めスプリング７５ｉを介して、位置調整ネジ７７ｅと第２対向係合面７７ｃ２との間に挟持されることで、係合部配置空間７７ｄでの静止位置が決定される。第１対向係合面７７ｃ１からの位置調整ネジ７７ｅの突出寸法Ｗ２（図１１参照）を変更することで、係合部配置空間７７ｄでの係合部７５ｇの静止位置を変更できる。
【００８３】
このように、光軸回動支持部７７は、位置調整ネジ７７ｅを用いて、係合部配置空間７７ｄでの係合部７５ｇの静止位置を変更することで、光軸Ｌａを中心とする回動方向Ｒ２（図２、図７参照）における回動支持部７５の静止位置（回動位置）を変更できる。つまり、レーザー光射出部７１は、第２回動機構７１ｂを備えることで、回動方向Ｒ２における回動支持部７５の静止位置（回動位置）を調整できるとともに、回動方向Ｒ２における変換レンズ７４の位置（姿勢）を調整できる。
【００８４】
よって、レーザー光射出部７１は、位置調整ネジ７７ｅを用いて突出寸法Ｗ２を変更して、回動方向Ｒ２における変換レンズ７４の位置（姿勢）を調整することで、レーザー光射出部７１における線状レーザーＬＬの拡散幅方向を、理想的な拡散幅方向（目標拡散幅方向）に近づけることが可能となる。
【００８５】
［１−５．効果］
以上説明したように、本実施形態のレーザー墨出し器１は、隙間調整ネジ８４ａを用いたレンズ保持部７３と回動支持部７５との隙間寸法Ｗ１の調整という簡易な構成によって、入射レーザー（レーザー光ＬＳ）の光軸Ｌａに対する変換レンズ７４の相対位置を調整できる。これに伴い、レーザー墨出し器１は、隙間調整ネジ８４ａを用いた隙間寸法Ｗ１の調整成によって、角度調整回動軸Ｌｂを中心とする回動方向Ｒ１における線状レーザーＬＬ（基準レーザー）の進行方向を調整できる。
【００８６】
よって、レーザー墨出し器１によれば、簡易な構成のため、変換レンズ７４のレンズ角度の調整作業が簡便になり、作業負担の増大を抑制できる。また、レーザー墨出し器１によれば、簡易な構成のため、構成部品の変形が生じ難くなり、レンズ角度を適切に調整できるとともに、線状レーザーＬＬ（基準レーザー）の進行方向を適切な方向に調整できる。
【００８７】
次に、レーザー墨出し器１は、レンズ保持部７３が２つの円錐凹部７３ｄを備えるとともに、回動支持部７５が１つの円錐凹部７５ｄと１つのＶ溝凹部７５ｅを備える構成である。
【００８８】
レーザー墨出し器１では、２個の球体８５ａのうち１つの球体８５ａが円錐凹部７３ｄおよび円錐凹部７５ｄによって位置決めされると共に、２個の球体８５ａのうちもう１つの球体８５ａが円錐凹部７３ｄとＶ溝凹部７５ｅによって位置決めされる。このとき、Ｖ溝凹部７５ｅにおける球体８５ａとの当接位置は、Ｖ溝の延長方向に沿って変更可能となる。このため、レンズ保持部７３における２つの円錐凹部７３ｄの形成位置と、回動支持部７５における円錐凹部７５ｄおよびＶ溝凹部７５ｅの形成位置との間に、加工誤差（製造誤差）が生じた場合でも、Ｖ溝凹部７５ｅにおける球体８５ａとの当接位置を適切な位置に変更できる。
【００８９】
よって、レーザー墨出し器１は、レンズ保持部７３と回動支持部７５との間において、２つの球体８５ａを適切に位置決めできる。
次に、レーザー墨出し器１は、図１２に示すように、レンズ保持部７３において、２個の球体８５ａと雌ネジ部７３ｇとの３カ所を結んで形成される領域を仮想三角領域ＡＥｔとした場合に、レンズ保持部７３のうち作用部８２（２個のスプリング８３）から与えられる外力の重心位置Ｆｍは、仮想三角領域ＡＥｔの内部に位置する構成である。
【００９０】
このようなレーザー墨出し器１は、作用部８２からの外力がレンズ保持部７３に対して偏って作用することを抑制できるため、レンズ保持部７３が不適切な方向に傾くことを抑制できるとともに、変換レンズ７４の位置が不適切になるのを抑制できる。
【００９１】
なお、２個の球体８５ａは、回動軸部８５のうち角度調整回動軸Ｌｂの延伸方向における両端（第１端部８５ｂ、第２端部８５ｃ）となる。つまり、２個の球体８５ａは、回動軸部８５の第１端部８５ｂおよび第２端部８５ｃに相当する。雌ネジ部７３ｇは、レンズ保持部７３と隙間調整部８４（隙間調整ネジ８４ａ）との当接箇所に相当する。仮想三角領域ＡＥｔは、第１端部８５ｂの中心、第２端部８５ｃの中心、雌ネジ部７３ｇの中心の３点を結んで形成される領域である。
【００９２】
また、本実施形態での外力の重心位置Ｆｍは、レンズ保持部７３のうち２個のスプリング８３と当接する２つの当接箇所の中間地点に相当する。外力の重心位置Ｆｍは、レンズ保持部７３のうち、２個のスプリング８３のそれぞれによる外力を合成した合成外力が作用する位置に相当する。
【００９３】
なお、レンズ保持部７３において作用部８２との当接箇所が３カ所備えられる構成においては、各当接箇所からの距離が等しい中央地点を、外力の重心位置Ｆｍと定義する。さらに、複数の当接箇所に作用する外力の大きさがそれぞれ異なる場合（例えば、複数のスプリング８３のそれぞれの弾性力（バネ定数）が異なる場合）には、外力の大きさに応じて、中間地点よりも外力の大きい当接箇所に近い位置を、外力の重心位置Ｆｍと定義する。
【００９４】
次に、レーザー墨出し器１においては、光軸回動支持部７７は、光軸Ｌａを中心とする回動方向Ｒ２における回動支持部７５の静止位置を決定するために、位置調整ネジ７７ｅ、第２対向係合面７７ｃ２を備える。位置調整ネジ７７ｅおよび第２対向係合面７７ｃ２は、回動支持部７５の静止位置を決定する位置決定部７８として機能する。つまり、位置決定部７８は、位置決めスプリング７５ｉを介して回動支持部７５に当接して回動支持部７５の回動を制限することで、入射レーザー（レーザー光ＬＳ）の光軸Ｌａを中心とする回動方向における回動支持部７５の静止位置を決定するように構成されている。
【００９５】
位置決定部７８（位置調整ネジ７７ｅおよび第２対向係合面７７ｃ２）は、光軸回動支持部７７のうち第２領域ＡＥ２に配置されている。光軸回動支持部７７は、位置決定部７８の配置位置を、作用部８２が配置される第１領域ＡＥ１ではなく第２領域ＡＥ２に設定することで、作用部８２と位置決定部７８とが互いに干渉するのを抑制できる。これにより、レーザー墨出し器１は、作用部８２および位置決定部７８それぞれの配置の自由度を高めることができる。
【００９６】
［１−６．文言の対応関係］
ここで、文言の対応関係について説明する。
レーザー墨出し器１がレーザー墨出し器の一例に相当し、変換レンズ７４が変換レンズの一例に相当し、レンズ保持部７３がレンズ保持部の一例に相当し、回動軸部８５が回動軸部の一例に相当し、２個の球体８５ａが２個の球体の一例に相当し、回動支持部７５が回動支持部の一例に相当し、作用部８２が作用部の一例に相当し、隙間調整部８４が隙間調整部の一例に相当する。
【００９７】
スプリング８３が作用部の一例および弾性体の一例に相当し、円錐凹部７３ｄが球体当接部の一例および円錐凹部の一例に相当し、円錐凹部７５ｄが球体当接部の一例および円錐凹部の一例に相当し、Ｖ溝凹部７５ｅが球体当接部の一例およびＶ溝凹部の一例に相当する。隙間調整ネジ８４ａが隙間調整部の雄ネジ部の一例に相当し、雌ネジ部７３ｇが隙間調整部の雌ネジ部の一例に相当する。
【００９８】
光軸回動支持部７７が光軸回動支持部の一例に相当し、位置決定部７８が位置決定部の一例に相当し、係合部７５ｇが係合部の一例に相当し、係合面７５ｈが係合面の一例に相当する。
【００９９】
［２．第２実施形態］
第２実施形態として、隙間調整部が第２領域ＡＥ２に設けられる第２レーザー光射出部１７１を備えるレーザー墨出し器について説明する。
【０１００】
第２実施形態のレーザー墨出し器は、第１実施形態のレーザー墨出し器１のうちレーザー光射出部７１を第２レーザー光射出部１７１に置き換えて構成されている。そこで、以下の説明では、第２レーザー光射出部１７１を中心に説明する。なお、第２実施形態の構成のうち、第１実施形態と同様の構成については、同一の符号を用いて表す。
【０１０１】
図１３および図１４に示すように、第２レーザー光射出部１７１は、第２レーザー光変換部１７２と、回動軸部８５（２個の球体８５ａ）と、第２回動支持部１７５と、光軸回動支持部７７と、レーザー光源８１と、作用部８２と、第２隙間調整部１８４と、基台部８７と、を備える。第２レーザー光変換部１７２は、変換レンズ７４（シリンドリカルレンズ７４）と、第２レンズ保持部１７３と、を備える。
【０１０２】
第２レンズ保持部１７３は、第１実施形態のレンズ保持部７３において、雌ネジ部７３ｇを削除し、貫通穴１７３ｇを追加した構成である。貫通穴１７３ｇは、第２領域ＡＥ２に形成されている。
【０１０３】
第２回動支持部１７５は、第１実施形態の回動支持部７５において、第２雌ネジ部１７５ｆを追加した構成である。第２雌ネジ部１７５ｆは、第２回動支持部１７５のうち第２領域ＡＥ２において、先端側が開口した雌ネジ溝を備えて形成されている。
【０１０４】
第２隙間調整部１８４は、第２隙間調整ネジ１８４ａ、貫通穴１７３ｇおよび第２雌ネジ部１７５ｆを備える。第２隙間調整ネジ１８４ａは、ネジ頭部１８４ａ１と、ネジ軸部１８４ａ２と、を備える。ネジ頭部１８４ａ１は、貫通穴１７３ｇよりも径寸法が大きく形成されており、第２レンズ保持部１７３の先端面に係合可能に構成されている。ネジ軸部１８４ａ２は、貫通穴１７３ｇよりも径寸法が小さく形成されるとともに、第２雌ネジ部１７５ｆに螺合可能な雄ネジが形成されている。
【０１０５】
第２回動支持部１７５は、回動軸部８５（詳細には、２個の球体８５ａ）に当接するとともに、第２レンズ保持部１７３が角度調整回動軸Ｌｂを回動中心として回動するように、回動軸部８５を介して第２レンズ保持部１７３を支持するように構成されている。
【０１０６】
このように、第２レーザー光射出部１７１は、２個の球体８５ａが第２回動支持部１７５の２つの球体当接部（円錐凹部７５ｄ、Ｖ溝凹部７５ｅ）に位置決めされると共に、２個の球体８５ａを回動中心として第２レンズ保持部１７３が回動するように構成される。これにより、角度調整回動軸Ｌｂ（２個の球体８５ａを通る軸）を中心とする回動方向Ｒ１（図２参照）における第２レンズ保持部１７３の静止位置を調整できるとともに、変換レンズ７４の位置（姿勢）を調整できる。
【０１０７】
第２隙間調整ネジ１８４ａは、貫通穴１７３ｇに挿通されて、第２レンズ保持部１７３から第２回動支持部１７５に向けて突出する状態で、第２雌ネジ部１７５ｆに螺合される。第２隙間調整ネジ１８４ａは、第２領域ＡＥ２において、ネジ頭部１８４ａ１の後端部（第１当接部１８４ｂ）が第２レンズ保持部１７３に当接し、ネジ軸部１８４ａ２のうち第２雌ネジ部１７５ｆとの螺合部分（第２当接部１８４ｄ）が第２回動支持部１７５に当接する状態で備えられる。つまり、第２隙間調整ネジ１８４ａは、ネジ軸部１８４ａ２のうち第２雌ネジ部１７５ｆに螺合された第２当接部１８４ｄと、ネジ頭部１８４ａ１の第１当接部１８４ｂとの間で、第２レンズ保持部１７３および第２回動支持部１７５を挟み込む状態で備えられる。
【０１０８】
第２隙間調整部１８４は、第２隙間調整ネジ１８４ａが第２レンズ保持部１７３および第２回動支持部１７５を挟み込むことで、第２領域ＡＥ２における第２レンズ保持部１７３と第２回動支持部１７５との距離を所定範囲内に制限できる。よって、第２隙間調整部１８４は、第１領域ＡＥ１における第２レンズ保持部１７３と第２回動支持部１７５との距離が一定距離以上となるように調整できる構成となる。これにより、第２レンズ保持部１７３の回動角度を調整可能な構成となる。
【０１０９】
具体的には、図１４に示すように、第２隙間調整部１８４は、第２雌ネジ部１７５ｆに対する第２隙間調整ネジ１８４ａの螺合深度が深くなるに従い、第２隙間調整ネジ１８４ａのうち第１当接部１８４ｂと第２当接部１８４ｄとの距離Ｗ３が小さくなるように構成されている。このように距離Ｗ３が小さくなると、第２領域ＡＥ２における第２レンズ保持部１７３と第２回動支持部１７５との距離Ｗ４が小さくなるとともに、第１領域ＡＥ１における第２レンズ保持部１７３と第２回動支持部１７５との距離Ｗ１が大きくなる。これにより、角度調整回動軸Ｌｂを回動中心とする第２レンズ保持部１７３の回動角度を変更できる。なお、換言すれば、第２隙間調整部１８４は、第２雌ネジ部１７５ｆに対する第２隙間調整ネジ１８４ａの螺合深度が浅くなるに従い、距離Ｗ４が大きくなるとともに、スプリング８３の弾性力によって距離Ｗ１が小さくなるように構成されている。
【０１１０】
このように第２隙間調整部１８４（第２隙間調整ネジ１８４ａおよび第２雌ネジ部１７５ｆ）を用いて距離Ｗ１を変更することで、角度調整回動軸Ｌｂを中心とする回動方向Ｒ１（図２参照）における第２レンズ保持部１７３の静止位置（回動位置）を変更できる。第２レーザー光射出部１７１は、第２隙間調整部１８４を用いて変換レンズ７４の静止位置を変更できるとともに、光軸Ｌａに対する変換レンズ７４の位置（姿勢）を調整できる。
【０１１１】
よって、第２レーザー光射出部１７１は、第２隙間調整部１８４を用いて距離Ｗ１を変更することで、第２レーザー光射出部１７１における線状レーザーＬＬの射出方向を、図１４に示す第１調整範囲Ｖ１のうち理想的な射出方向（目標射出方向）に近づけることが可能となる。
【０１１２】
ここで、文言の対応関係について説明する。
第２レンズ保持部１７３がレンズ保持部の一例に相当し、第２回動支持部１７５が回動支持部の一例に相当し、第２隙間調整部１８４が隙間調整部の一例に相当する。
【０１１３】
第２隙間調整ネジ１８４ａが隙間調整部の雄ネジ部の一例に相当し、第２雌ネジ部１７５ｆが隙間調整部の雌ネジ部の一例に相当する。
［３．他の実施形態］
以上、本開示の実施形態について説明したが、本開示は上記実施形態に限定されるものではなく、本開示の要旨を逸脱しない範囲において、様々な態様にて実施することが可能である。
【０１１４】
（３ａ）上記実施形態では、レンズ保持部が２つの円錐凹部を備え、回動支持部が１つの円錐凹部と１つのＶ溝凹部を備える構成について説明したが、本開示のレーザー墨出し器はこのような構成に限られることはない。例えば、レンズ保持部が１つの円錐凹部と１つのＶ溝凹部を備え、回動支持部が２つの円錐凹部を備える構成であってもよい。
【０１１５】
（３ｂ）上記実施形態では、作用部がレンズ保持部の２カ所に当接するとともに作用部が回動支持部の２カ所に当接する構成について説明したが、作用部がレンズ保持部の１カ所に当接するとともに作用部が回動支持部の１カ所に当接する構成であってもよい。例えば、作用部が１つのスプリングを備えて、１つのスプリングがレンズ保持部および回動支持部のそれぞれと当接する構成であってもよい。
【０１１６】
（３ｃ）上記実施形態では、回動軸部が２つの球体を備える構成について説明したが、回動軸部はこのような構成に限られることはない。例えば、回動軸部が２つの円柱部材を備える構成であってもよい。この場合、レンズ保持部および回動支持部のそれぞれが、２つのＶ溝凹部を備えて、２つの円柱部材は、２つのＶ溝凹部に当接する状態でレンズ保持部と回動支持部との間に配置される。
【０１１７】
（３ｄ）上記実施形態では、第１回動機構および第２回動機構を備える構成について説明したが、本開示のレーザー墨出し器は、このような構成に限られるものではなく、第１回動機構を備え、第２回動機構を備えない構成であってもよい。
【０１１８】
（３ｅ）上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本開示の実施形態である。
【符号の説明】
【０１１９】
１…レーザー墨出し器、７１…レーザー光射出部、７２…レーザー光変換部、７３…レンズ保持部、７３ｄ…円錐凹部、７３ｅ…固定部材、７３ｇ…雌ネジ部、７４…変換レンズ（シリンドリカルレンズ）、７５…回動支持部、７５ｂ…貫通穴、７５ｄ…円錐凹部、７５ｅ…Ｖ溝凹部、７５ｇ…係合部、７５ｈ…係合面、７７…光軸回動支持部、７７ｃ…対向係合面、７７ｅ…位置調整ネジ、７８…位置決定部、８１…レーザー光源、８２…作用部、８３…スプリング、８４…隙間調整部、８４ａ…隙間調整ネジ、８５…回動軸部、８５ａ…球体、８５ｂ…第１端部、８５ｃ…第２端部、８７…基台部、１７１…第２レーザー光射出部、１７２…第２レーザー光変換部、１７３…第２レンズ保持部、１７５…第２回動支持部、１８４…第２隙間調整部、１８４ａ…第２隙間調整ネジ、１８４ａ１…ネジ頭部、１８４ａ２…ネジ軸部、ＡＥ１…第１領域、ＡＥ２…第２領域。
【図１】
2020165685.tif 000003
【図２】
2020165685.tif 000004
【図３】
2020165685.tif 000005
【図４】
2020165685.tif 000006
【図５】
2020165685.tif 000007
【図６】
2020165685.tif 000008
【図７】
2020165685.tif 000009
【図８】
2020165685.tif 000010
【図９】
2020165685.tif 000011
【図１０】
2020165685.tif 000012
【図１１】
2020165685.tif 000013
【図１２】
2020165685.tif 000014
【図１３】
2020165685.tif 000015
【図１４】
2020165685.tif 000016